(57)【要約】【課題】  同一フォーマットを用いて医用レポートを作成した際に、各医用レポートを比較するときの可読性の低下を阻止する。【解決手段】  実施形態に係る医用レポート作成装置は、レポート記憶手段、画像記憶手段、医用レポート作成手段、比較手段及び変更処理手段を具備する。前記レポート記憶手段は、医用画像を含む医用レポートを記憶する。前記画像記憶手段は、前記医用画像を記憶する。前記医用レポート作成手段は、ユーザの操作に応じて、当該医用画像を所定のフォーマットに貼り付ける処理により、医用レポートを作成する。前記比較手段は、前記医用レポート作成手段で作成した医用レポートと、前記過去の医用レポートとにおける前記医用画像の配置を比較する。前記変更処理手段は、前記比較の結果に基づいて、前記医用画像の配置変更に関する処理を行う。【選択図】図１
2015141466.tif 000002
【特許請求の範囲】
【請求項１】
医用画像を含む医用レポートを記憶するレポート記憶手段と、
前記医用画像を記憶する画像記憶手段と、
ユーザの操作に応じて、当該医用画像を所定のフォーマットに貼り付ける処理により、医用レポートを作成する医用レポート作成手段と、
前記医用レポート作成手段で作成した医用レポートと、前記過去の医用レポートとにおける前記医用画像の配置を比較する比較手段と、
前記比較の結果に基づいて、前記医用画像の配置変更に関する処理を行う変更処理手段と、
を具備することを特徴とする医用レポート作成装置。
【請求項２】
請求項１に記載の医用レポート作成装置において、
ユーザ毎に、前記フォーマットを記憶するフォーマット記憶手段を具備し、
前記変更処理手段は、
前記比較の結果、前記医用画像の配置が互いに異なる場合には、警告メッセージを出力するメッセージ出力手段と、
前記比較の結果、前記医用画像の配置が同一の場合には、前記貼り付ける処理を有効にする第１貼付手段と、
を具備することを特徴とする医用レポート作成装置。
【請求項３】
請求項１に記載の医用レポート作成装置において、
前記変更処理手段は、
前記比較の結果、前記医用画像の配置が互いに異なる場合には、表示中の医用画像のうち、前記配置が同一となる医用画像の数をカウントするカウント手段と、
前記カウントの結果、前記配置が同一となる医用画像の数が２つ以上の場合、当該２つ以上の医用画像を指し示す画像指示手段と、
を具備したことを特徴とする医用レポート作成装置。
【請求項４】
請求項１に記載の医用レポート作成装置において、
前記比較の結果、前記医用画像の配置が互いに異なる場合には、表示中の医用画像のうち、前記配置が同一となる医用画像の数をカウントするカウント手段と、
前記カウントの結果、前記配置が同一となる医用画像の数が１つの場合、当該１つの医用画像を前記フォーマットに貼り付ける貼付手段と、
を具備したことを特徴とする医用レポート作成装置。
【請求項５】
請求項１に記載の医用レポート作成装置において、
前記患者毎に、前回検査の有無、前回検査でのレポート作成の有無、前回検査の検査種別を含む患者情報を記憶する患者情報記憶手段と、
前記ユーザの操作に応じて、前記過去の医用レポート及び最新の医用レポートのうちのいずれの医用レポートを基準にするかを設定する設定手段と、
前記患者情報が前回検査の有りと、前回検査でのレポート作成の有りと、医用レポートの比較表示を行う検査種別とを示すか否かを判定する患者情報判定手段と、
前記設定手段の設定が前記過去の医用レポートを基準にするか否かを判定する過去基準判定手段と、
前記患者情報判定手段及び前記過去基準判定手段の判定結果がいずれも肯定的な場合、前記比較手段を起動する起動手段と、
を具備したことを特徴とする医用レポート作成装置。
【請求項６】
ユーザ毎に予め設定されたフォーマットによって患者の検査結果を示す複数の医用レポートを記憶するレポート記憶手段と、
前記複数の医用レポートのうち、表示対象の２つの医用レポートを指示する指示手段と、
前記指示された２つの医用レポートのうち、最新の医用レポートにおける医用画像の配置に一致させるように、過去の医用レポートにおける医用画像の配置を変更する過去配置変更手段と、
前記変更された前記過去の医用レポートと、前記最新の医用レポートとを並べて表示する表示手段と、
を具備することを特徴とする医用レポート作成装置。
【請求項７】
請求項６に記載の医用レポート作成装置において、
前記患者毎に、前回検査の有無、前回検査でのレポート作成の有無、前回検査の検査種別を含む患者情報を記憶する患者情報記憶手段と、
前記ユーザの操作に応じて、前記過去の医用レポート及び最新の医用レポートのうちのいずれの医用レポートを基準にするかを設定する設定手段と、
前記患者情報が前回検査の有りと、前回検査でのレポート作成の有りと、医用レポートの比較表示を行う検査種別とを示すか否かを判定する患者情報判定手段と、
前記設定手段の設定が前記過去の医用レポートを基準にするか否かを判定する過去基準判定手段と、
前記患者情報判定手段の判定結果が肯定的であり、前記過去基準判定手段の判定結果が否の場合、前記過去配置変更手段を起動する起動手段と、
を具備したことを特徴とする医用レポート作成装置。
【請求項８】
ユーザ毎に予め設定されたフォーマットによって患者の検査結果を示す複数の医用レポートを記憶するレポート記憶手段と、
前記複数の医用レポートのうち、表示対象の２つの医用レポートを指示する指示手段と、
前記指示された２つの医用レポートのうち、過去の医用レポートにおける医用画像の配置に一致させるように、最新の医用レポートにおける医用画像の配置を変更する最新配置変更手段と、
前記変更する前の最新の医用レポートをｎページ目とし、前記変更した後の最新の医用レポートをｍページ目（但し、ｎ∈｛１，２｝、ｍ∈｛１，２｝、ｎ≠ｍ）としたファイルを作成するファイル作成手段と、
前記ファイルのｍページ目と、前記過去の医用レポートとを並べて表示する表示手段と、
前記ユーザの操作に応じて、前記ファイルのｍページ目の表示と前記ｎページ目の表示とを切り替える表示切替手段と、
を具備することを特徴とする医用レポート作成装置。
【請求項９】
請求項８に記載の医用レポート作成装置において、
前記患者毎に、前回検査の有無、前回検査でのレポート作成の有無、前回検査の検査種別を含む患者情報を記憶する患者情報記憶手段と、
前記ユーザの操作に応じて、前記過去の医用レポート及び最新の医用レポートのうちのいずれの医用レポートを基準にするかを設定する設定手段と、
前記患者情報が前回検査の有りと、前回検査でのレポート作成の有りと、医用レポートの比較表示を行う検査種別とを示すか否かを判定する患者情報判定手段と、
前記設定手段の設定が前記過去の医用レポートを基準にするか否かを判定する過去基準判定手段と、
前記患者情報判定手段の判定結果が肯定的であり、前記過去基準判定手段の判定結果が否の場合、前記最新配置変更手段を起動する起動手段と、
を具備したことを特徴とする医用レポート作成装置。
【発明の詳細な説明】
【技術分野】
【０００１】
本発明の実施形態は、医用レポート作成装置に関する。
【背景技術】
【０００２】
超音波診断装置は、多くの場合、予め有するレポート作成機能により、医用データを含む医用レポートを作成している。医用レポートの記載内容がある程度決まっていることから、レポート作成機能には、所定のフォーマットが予め準備されている。
【０００３】
この種のフォーマットは、ユーザ（担当医などの医療従事者）によりフォーマットの好みが異なるため、予めユーザ毎に設定され、ある程度の自由度で変更可能となっている。レポート作成機能は、予め設定されたフォーマットを用いて医用レポートを作成する。作成された医用レポートを超音波診断装置の画面に表示する。
【０００４】
外部ＰＣ（personal computer）から閲覧する場合、作成された医用レポートは、ＰＤＦ（portable document format）形式やＨＴＭＬ（hypertext markup language）形式などの汎用データフォーマットで超音波診断装置から外部ＰＣに出力される。
【０００５】
ユーザは、治療後の経過観察や病状の進行程度を把握するために、検査時に取得した画像や最終的に今回作成された医用レポートと、以前に作成された医用レポートとを比較しながら医用診断を行う。レポート作成機能は、各医用レポートの比較作業を容易にする（可読性を向上する）ため、同一ユーザには同一フォーマットを用いて医用レポートを作成している。これにより、比較対象の各医用レポートが同一フォーマットになり、同一種類の画像が同じ位置に配置されるため、可読性を向上可能となっている。
【先行技術文献】
【特許文献】
【０００６】
【特許文献１】特開２０１１−１４１８３７号公報
【発明の概要】
【発明が解決しようとする課題】
【０００７】
しかしながら、以上のようなレポート作成機能は、フォーマットが変更可能なため、同一フォーマットを用いて医用レポートを作成しても、フォーマットが変更されてしまう場合がある。
【０００８】
また、レポート作成機能は、担当医（ユーザ）の変更などといった事情が生じた際に、同一患者に対する医用レポートのフォーマットが変更されてしまう場合がある。
【０００９】
いずれの場合でも、医用レポートのフォーマットが変更されるので、作成した各医用レポートを比較するときの可読性を低下させてしまう。
【００１０】
目的は、同一フォーマットを用いて医用レポートを作成した際に、各医用レポートを比較するときの可読性の低下を阻止し得る医用レポート作成装置を提供することである。
【００１１】
他の目的は、ユーザの変更が生じた際に、各医用レポートを比較するときの可読性の低下を阻止し得る医用レポート作成装置を提供することである。
【課題を解決するための手段】
【００１２】
実施形態に係る医用レポート作成装置は、レポート記憶手段、画像記憶手段、医用レポート作成手段、比較手段及び変更処理手段を具備する。
【００１３】
前記レポート記憶手段は、医用画像を含む医用レポートを記憶する。
【００１４】
前記画像記憶手段は、前記医用画像を記憶する。
【００１５】
前記医用レポート作成手段は、ユーザの操作に応じて、当該医用画像を所定のフォーマットに貼り付ける処理により、医用レポートを作成する。
【００１６】
前記比較手段は、前記医用レポート作成手段で作成した医用レポートと、前記過去の医用レポートとにおける前記医用画像の配置を比較する。
【００１７】
前記変更処理手段は、前記比較の結果に基づいて、前記医用画像の配置変更に関する処理を行う。
【図面の簡単な説明】
【００１８】
【図１】第１の実施形態に係る医用レポート作成装置の一例を示す模式図である。
【図２】同実施形態における医用レポートの一例を示す模式図である。
【図３】同実施形態における動作を説明するための模式図である。
【図４】同実施形態における動作を説明するための模式図である。
【図５】第２の実施形態に係る医用レポート作成装置の動作を説明するための模式図である。
【図６】同実施形態における動作を説明するための模式図である。
【図７】第３の実施形態に係る医用レポート作成装置の動作を説明するための模式図である。
【発明を実施するための形態】
【００１９】
以下、各実施形態について図面を用いて説明する。なお、以下の医用レポート作成装置は、ハードウェア構成、又はハードウェア資源とソフトウェアとの組合せ構成のいずれでも実施可能となっている。組合せ構成のソフトウェアとしては、予めネットワーク又は記憶媒体からコンピュータにインストールされ、医用レポート作成装置の機能を当該コンピュータに実現させるためのプログラムが用いられる。当該医用レポート作成装置は、例えば、超音波診断装置などの医療機器に組み込んでもよく、病院情報システム（hospital information system：ＨＩＳ）の一部として設けられてもよい。また、「医用レポート作成装置」は、「医用レポート作成システム」と呼んでもよい。
【００２０】
＜第１の実施形態＞
図１は第１の実施形態に係る医用レポート作成装置の一例を示す模式図であり、図２は医用レポートの一例を示す模式図である。この医用レポート作成装置は、データ記憶部１、レポート記憶部２、統計情報記憶部３、操作部４、設定部５、レポート作成部６、比較用レポート決定部７、貼付操作制御部８、表示部９及びレポート出力処理部１０を備えている。
【００２１】
ここで、データ記憶部１は、各部４〜１０からアクセス可能な記憶装置又は記憶領域であり、例えば、フォーマット、患者情報、患者の計測結果及び医用画像を記憶している。データ記憶部１は、フォーマット記憶手段、画像記憶手段及び患者情報記憶手段を構成している。
【００２２】
フォーマットは、ユーザ毎に、医用画像の種類と配置とが指定されている。フォーマットとしては、例えば、テキストデータ、ＨＴＭＬデータ、又はＸＭＬデータ形式等の電子ファイルが適宜、使用可能となっている。なお、“フォーマット”の用語は、“フォーマットデータ”、“テンプレートデータ”又は“テンプレート”等と読み替えてもよい。同様に、“医用画像”の用語は、“医用画像データ”等と読み替えてもよい。医用画像の種類としては、例えば、検査種別、画像種別、モダリティ、画像表示モード（Ｂモード，Ｃモード，Ｍモード，ドプラーモード等）又は画像番号などが適宜、使用可能となっている。
【００２３】
患者情報は、例えば、患者ＩＤ（patient ID）、患者名（name）、生年月日（DOB: date of birth）、性別(gender)、前回検査の有無、前回検査でのレポート作成の有無、前回検査の検査種別を含む情報である。患者情報の一部は、医用レポートｒに記載される。なお、患者情報のうち、例えば、前回検査の有無、前回検査でのレポート作成の有無、前回検査の検査種別は、任意の付加的事項であり、省略してもよい。
【００２４】
計測結果は、検査項目に対する計測結果の数値を含む情報である。
【００２５】
医用画像としては、例えば、患者の超音波画像や断層像などのイメージ画像（検査画像）と、計測波形などのグラフ形式画像（検査画像）と、計測結果の数値等を並べた表などの表形式画像（計測結果画像）とが適宜、使用可能となっている。また、医用画像は、例えば、検査種別、画像種別、モダリティ、画像表示モード（Ｂモード，Ｃモード，Ｍモード，ドプラーモード等）及び画像番号などといった付帯情報を有している。
【００２６】
レポート記憶部２は、各部４〜１０からアクセス可能な記憶装置又は記憶領域であり、フォーマットを用いて作成され、図２に示す如き、医用画像を含む医用レポートｒを記憶する。レポート記憶部２は、レポート記憶手段を構成している。
【００２７】
医用レポートｒは、例えば、ヘッダ、患者情報、検査情報、医用画像（検査画像、計測結果画像）、計測結果、診察所見及びフッタを含んでいる。ヘッダ、患者情報、検査情報、医用画像、計測結果、診察所見及びフッタは、予めフォーマット上で記入領域（又は貼付領域）と配置とが指定されている。
【００２８】
ヘッダとしては、例えば、病院のロゴ、名称、所在地、電話番号、メールアドレスなどが適宜、使用可能となっている。
【００２９】
患者情報としては、例えば、患者名、患者ＩＤ、生年月日及び性別などが適宜、使用可能となっている。
【００３０】
検査情報としては、例えば、検査項目と検査結果（数値）との組が適宜、使用可能となっている。
【００３１】
医用画像及び計測結果は、前述した通りである。
【００３２】
診察所見は、ユーザによる操作部４の操作により、入力された文字列を含む医療情報であり、所望により、診察対象の模式図を更に含む場合がある。
【００３３】
フッタとしては、例えば、ページ番号及び印刷日時が適宜、使用可能となっている。
【００３４】
統計情報記憶部３は、各部４〜１０からアクセス可能な記憶装置又は記憶領域であり、レポート記憶部２内の医用レポートの統計情報を記憶している。
【００３５】
統計情報としては、例えば、フォーマット毎の使用頻度や、レポート作成日付が適宜、使用可能となっている。統計情報記憶部３は、任意の付加的事項であり、省略してもよい。
【００３６】
操作部４は、ユーザに操作されるキーボード、トラックボール、各種スイッチ及びタッチパネル等の入力デバイスであり、ユーザの操作に応じて、各種の指示やデータ等を入力する機能をもっている。
【００３７】
設定部５は、ユーザの操作部４の操作に応じて、過去の医用レポート及び最新の医用レポートのうちのいずれの医用レポートを基準にするかを設定する設定機能をもっている。設定部５は、比較表示モードと通常モードとの切り替え設定を含んでもよい。設定部５は、設定手段を構成している。設定部５は、任意の付加的事項であり、省略してもよい。なお、「基準にする」の用語は、「優先する」と読み替えてもよい。また、「最新」の用語は、「現在」又は「今回」と読み替えてもよい。
【００３８】
レポート作成部６は、ユーザの操作に応じて、医用画像を所定のフォーマットに貼り付ける処理により、医用レポートｒを作成する医用レポート作成機能をもっている。このようなレポート作成部６は、医用レポート作成手段を構成している。また、医用レポート作成機能は、例えば、以下の機能(f6-1)〜(f6-2)を含んでいてもよい。
【００３９】
(f6-1)  貼付操作制御部８により医用画像が貼り付けられたフォーマットを用い、ユーザの操作に応じて、新たな医用レポートを作成するレポート作成機能。
【００４０】
(f6-2)  作成された医用レポートをレポート記憶部２に書込むレポート書込機能。
【００４１】
また、レポート作成部６は、以下の機能(f6-3)〜(f6-5)を有していてもよい。この場合、レポート作成部６は、患者情報判定手段、過去基準判定手段及び起動手段を更に構成している。
【００４２】
(f6-3)  患者情報が前回検査の有りと、前回検査でのレポート作成の有りと、医用レポートの比較表示を行う検査種別とを示すか否かを判定する患者情報判定機能。なお、前回検査の有りと、前回検査でのレポート作成の有りとは、それぞれ比較表示対象の過去の医用レポートが有ることを示しているので、いずれか一方は省略してもよい。
【００４３】
検査種別は、例えば、産科検査のように、比較表示（経過観察）が行われる検査か否かの判定に利用される。
【００４４】
(f6-4)  設定部５の設定が過去の医用レポートを基準にするか否かを判定する過去基準判定機能。
【００４５】
(f6-5)  患者情報判定機能(f6-3)及び過去基準判定機能(f6-4)の判定結果がいずれも肯定的な場合、貼付操作制御部８を起動する起動機能。
【００４６】
このような機能(f6-3)〜(f6-5)は、例えば、前回検査の有無や前回検査でのレポート作成有無、検査種別、ユーザ設定に基づいて、比較表示モードに移行する機能として用いてもよい。このことは、以下の各実施形態でも同様である。
【００４７】
比較用レポート決定部７は、今回作成される医用レポートに対し、比較用の過去の医用レポートを決定するものであり、決定の前に、統計情報記憶部３内の統計情報を参照可能となっている。なお、比較用レポート決定部７は、任意の付加的事項であり、省略してもよい。
【００４８】
貼付操作制御部８は、ユーザによる操作部４の操作に応じて医用画像の貼付けを制御するものであり、例えば、以下の機能(f8-1)〜(f8-2)をもっている。このような貼付操作制御部８は、比較手段及び変更処理手段を構成している。
【００４９】
(f8-1)  医用レポート作成機能で作成した医用レポートと、レポート記憶部２内の過去の医用レポートとにおける医用画像の配置を比較する比較機能。
【００５０】
(f8-2)  当該比較の結果に基づいて、当該医用画像の配置変更に関する処理を行う変更処理機能。
【００５１】
ここで、変更処理機能(f8-2)は、以下の機能(f8-3)〜(f8-4)を有していてもよい。この場合、貼付操作制御部８は、メッセージ出力手段及び第１貼付手段を更に構成している。
【００５２】
(f8-3)  比較の結果、医用画像の配置が互いに異なる場合には、注意を喚起するメッセージ（警告メッセージ）を表示部９に出力するメッセージ出力機能。なお、貼付操作制御部８は、医用画像の配置が互いに異なる場合には、医用レポート作成機能による医用画像をフォーマットに貼り付ける処理を無効にする機能を含んでいてもよい。当該無効にする機能は、医用レポートを当該医用画像の貼り付け前の状態に戻す。
【００５３】
(f8-4)  比較の結果、医用画像の配置が同一の場合には、貼り付ける処理を有効にする第１貼付機能。
【００５４】
また、変更処理機能(f8-2)は、以下の機能(f8-5)〜(f8-6)を有していてもよい。この場合、貼付操作制御部８は、カウント手段及び画像指示手段を更に構成している。
【００５５】
(f8-5)  比較の結果、医用画像の配置が互いに異なる場合には、表示中の医用画像のうち、配置が同一となる医用画像の数をカウントするカウント機能。
【００５６】
(f8-6)  カウントの結果、当該配置が同一となる医用画像の数が２つ以上の場合、当該２つ以上の医用画像を指し示す画像指示機能。
【００５７】
また、変更処理機能(f8-2)は、以下の機能(f8-7)〜(f8-8)を有していてもよい。この場合、貼付操作制御部８は、カウント手段及び第２貼付手段を更に構成している。
【００５８】
(f8-7)  比較の結果、医用画像の配置が互いに異なる場合には、表示中の医用画像のうち、配置が同一となる医用画像の数をカウントするカウント機能。
【００５９】
(f8-8)  カウントの結果、当該配置が同一となる医用画像の数が１つの場合、当該１つの医用画像をフォーマットに貼り付ける第２貼付機能。
【００６０】
表示部９は、操作部４の操作に応じて、各部５〜８，１０の処理結果などを表示する表示デバイスであり、例えば、フォーマット、患者の医用画像、及び過去の医用レポートを表示可能となっている。表示部９は、表示手段を構成している。また、表示部９は、ユーザにより操作可能なＴＣＳ（touch command screen）であってもよい。
【００６１】
レポート出力処理部１０は、操作部４の操作に応じて、各記憶部１〜３の記憶内容や表示部９の表示内容などの出力処理を実行する。出力処理としては、例えば、作成された医用レポートｒの印刷処理又はデータ転送処理が適宜、使用可能となっている。具体的には、レポート出力処理部１０は、プリンタであってもよく、プリンタへの出力部であってもよい。あるいは、レポート出力処理部１０は、レポート保管システム等へのデータ転送部であってもよい。
【００６２】
次に、以上のように構成された医用レポート作成装置の動作について図３及び図４の模式図を用いて説明する。医用レポート作成装置は、レポート作成中に、過去の医用レポートを表示しない通常モードではなく、今回作成中の医用レポートと、過去の医用レポートとを比較表示する比較表示優先モードを用いるものとする。
【００６３】
操作部４は、図３に示すように、ユーザの操作に応じて、レポート作成部６を起動し、医用レポートｒの作成を開始する（ＳＴ１）。
【００６４】
設定部５は、ユーザの操作部４の操作に応じて、過去の医用レポート及び最新の医用レポートのうちのいずれの医用レポートを基準にするかを設定する（ＳＴ２）。本実施形態では、過去の医用レポートを基準にする。
【００６５】
比較用レポート決定部７は、今回作成される医用レポートに対し、統計情報記憶部３内の統計情報に基いて、比較用の過去の医用レポートを決定する（ＳＴ３）。比較用の過去の医用レポートは、例えば、統計情報内のレポート作成日付に応じて直近の医用レポートとしてもよく、統計情報内のフォーマット使用頻度に応じて、統計的に最も多い医用レポートとしてもよい。
【００６６】
レポート作成部６は、操作部４の操作に応じて、データ記憶部１からフォーマット、患者の医用画像、及びステップＳＴ３で決定された過去の医用レポートを読み出す（ＳＴ４）。しかる後、レポート作成部６は、当該フォーマット、患者の医用画像、及び過去の医用レポートを表示部９に表示させる。
【００６７】
貼付操作制御部８は、表示部９によるフォーマット、医用画像及び過去の医用レポートの表示中に、ユーザの操作に応じて、当該医用画像を当該フォーマットに貼り付ける指示を受け付ける（ＳＴ５）。
【００６８】
レポート作成部６は、当該受け付けられた指示に応じて、医用画像を所定のフォーマットに貼り付ける処理により、医用レポートｒを作成する。
【００６９】
貼付操作制御部８は、当該作成された医用レポートｒと、表示中の過去の医用レポートとにおける医用画像の配置を比較する（ＳＴ６）。貼付操作制御部８は、この比較の結果に基づいて、医用画像の配置変更に関する処理を行う。例えば、この比較の結果、医用画像の配置が互いに異なる場合には、貼付操作制御部８は、警告メッセージを表示部９に出力する（ＳＴ７）と共に、医用画像を貼り付けた処理を無効にする。
【００７０】
例えば図４に示すように、過去の医用レポートｒ２は、左に２Ｄ画像、右に計測結果画像が配置されているとする。今回作成中の医用レポートｒ１にて、異種の検査画像（例、２Ｄデュアル画像）を貼ろうとすると、警告メッセージｍを表示すると共に、破線のフォーカスｆｃ移動によって、対応する画像（例、計測結果画像）を指し示す。
【００７１】
なお、ステップＳＴ７において、貼付操作制御部８は、表示中の医用画像のうち、当該配置が同一となる医用画像の数をカウントし、当該配置が同一となる医用画像の数が２つ以上の場合、当該２つ以上の医用画像を指し示してもよい。
【００７２】
また、ステップＳＴ７において、貼付操作制御部８は、表示中の医用画像のうち、当該配置が同一となる医用画像の数をカウントし、当該配置が同一となる医用画像の数が１つの場合、当該１つの医用画像をフォーマットに貼り付けるようにしてもよい。すなわち、貼付操作制御部８は、過去の医用レポートｒ２のフォーマットに従って、今回作成中の医用レポートｒ１の画像貼付を制御してもよい。これにより、例えば、ユーザが医用画像を左右逆に貼付けようとしたら、矯正することができる。
【００７３】
一方、ステップＳＴ６の判定の結果、医用画像の配置が同一の場合には、貼付操作制御部８は、医用画像を貼り付けた処理を有効にする。
【００７４】
レポート作成部６は、医用画像のコピーが貼り付けられたフォーマットを用い、ユーザの操作に応じて、新たな医用レポートを作成する。また、レポート作成部６は、作成された医用レポートをレポート記憶部２に書込む。
【００７５】
しかる後、レポート作成部６は、ユーザの操作に応じて、医用レポートｒ１をレポート出力処理部１０に出力する（ＳＴ８）。
【００７６】
レポート出力処理部１０は、出力された医用レポートｒ１の印刷処理を実行する。
【００７７】
上述したように本実施形態によれば、作成した医用レポートｒ１と、過去の医用レポートｒ２とにおける医用画像の配置を比較し、当該比較の結果に基づいて、医用画像の配置変更に関する処理を行う構成により、同一フォーマットを用いて医用レポートを作成した際に、各医用レポートを比較するときの可読性の低下を阻止できる。
【００７８】
例えば、医用画像をフォーマットに貼り付ける処理により、医用レポートを作成すると、当該作成された医用レポートと、表示中の過去の医用レポートとにおける医用画像の配置を比較し、医用画像の配置が互いに異なる場合には、警告メッセージを出力し、医用がオズの配置が同一の場合には、当該貼り付ける処理を有効にする。これにより、同一フォーマットを用いて医用レポートを作成した際に、フォーマットが変更されないため、各医用レポートを比較するときの可読性の低下を阻止することができる。
【００７９】
補足すると、比較表示モードにおいて、ユーザによる画像貼付操作をコントロールすることにより、比較表示に適した表示フォーマットを担保して、より効率的な比較作業を実現し、もって、診断効率を向上させることができる。
【００８０】
また、比較の結果、医用画像の配置が異なる場合には、配置が同一となる医用画像の数をカウントし、配置が同一となる医用画像の数が２つ以上の場合、当該２つ以上の医用画像を指し示してもよい。これにより、ユーザのレポート作成作業を支援することができる。
【００８１】
また、比較の結果、医用画像の配置が異なる場合には、配置が同一となる医用画像の数をカウントし、配置が同一となる医用画像の数が１つの場合、当該１つの医用画像をフォーマットに貼り付けるようにしてもよい。これにより、ユーザのレポート作成作業を支援することができる。
【００８２】
また、患者情報判定機能及び過去基準判定機能の判定結果がいずれも肯定的な場合、比較機能を起動してもよい。これにより、適切な患者情報と適切な基準との下で、前述した医用レポートの比較を実行することができる。
【００８３】
＜第２の実施形態＞
次に、第２の実施形態に係る医用レポート作成装置について、前述した図１を用いて説明する。第２の実施形態は、今回の医用レポートｒ２の作成中に過去の医用レポートｒ２を基準とする第１の実施形態とは異なり、今回の医用レポートｒ２の作成後に今回の医用レポートｒ２を基準として、各医用レポートｒ１，ｒ２を比較表示する構成となっている。
【００８４】
補足すると、第１の実施形態は、過去の医用レポートｒ２のフォーマットに合わせていた。
【００８５】
一方で、今回作成した最新の医用レポートｒ１のフォーマットを用いたいケースもある。例えば、担当医（レポート作成者、ユーザ）が変わった場合などは、今回作成した最新の医用レポートｒ１のフォーマットをベースに、過去の医用レポートｒ２との比較表示を行いたい。よって、第２の実施形態では、最新の医用レポートｒ１のフォーマット（レイアウト）に従って、過去の医用レポートｒ２を再作成・再出力している。
【００８６】
具体的には、レポート記憶部２は、ユーザ毎に予め設定されたフォーマットによって患者の検査結果を示す複数の医用レポートｒ１，ｒ２，…を記憶する。
【００８７】
操作部４は、複数の医用レポートｒ１，ｒ２，…のうち、表示対象の２つの医用レポートｒ１，ｒ２を指示する指示機能をもっている。操作部４は、指示手段を構成している。
【００８８】
レポート作成部６は、指示された２つの医用レポートｒ１，ｒ２のうち、最新の医用レポートにおける医用画像の配置（フォーマットｒ１）に一致させるように、過去の医用レポートｒ２における医用画像の配置（フォーマット）を変更する過去配置変更機能をもっている。この場合、レポート作成部６は、過去配置変更手段を構成している。
【００８９】
表示部９は、レポート作成部６により配置が変更された当該過去の医用レポートｒ２と、当該最新の医用レポートｒ１とを並べて表示する。
【００９０】
なお、第２の実施形態では、以下の各部１，５，６の機能は、任意の付加的事項であり、省略してもよい。
【００９１】
すなわち、データ記憶部１は、前述同様に、患者毎に、前回検査の有無、前回検査でのレポート作成の有無、前回検査の検査種別を含む患者情報を記憶していてもよい。
【００９２】
設定部５は、前述した通り、ユーザの操作に応じて、過去の医用レポートｒ２及び最新の医用レポートｒ１のうちのいずれの医用レポートを基準にするかを設定してもよい。
【００９３】
レポート作成部６は、前述した各機能(f6-3)〜(f6-4)と、前述した起動機能(f6-5)とは異なる起動機能(f6-5a)とを有していてもよい。
【００９４】
(f6-3)  患者情報が前回検査の有りと、前回検査でのレポート作成の有りと、医用レポートの比較表示を行う検査種別とを示すか否かを判定する患者情報判定機能。
【００９５】
(f6-4)  設定部５の設定が過去の医用レポートを基準にするか否かを判定する過去基準判定機能。
【００９６】
(f6-5a)  患者情報判定機能(f6-3)の判定結果が肯定的であり、過去基準判定機能(f6-4)の判定結果が否の場合、過去配置変更機能を起動する起動機能。
【００９７】
また、第２の実施形態は、今回の医用レポートｒ２の作成後の機能があればよいので、第１の実施形態に述べた今回の医用レポートｒ２の作成中に用いる機能（例、統計情報記憶部３、レポート作成部６のレポート作成機能(f6-1)とレポート書込機能(f6-2)、比較用レポート決定部７、貼付操作制御部８など）を省略してもよい。
【００９８】
次に、以上のように構成された医用レポート作成装置の動作について図５及び図６の模式図を用いて説明する。医用レポート作成装置は、レポート作成後に、過去の医用レポートを表示しない通常モードではなく、今回の医用レポートｒ１と、過去の医用レポートｒ２とを比較表示する比較表示モードを用いるものとする。
【００９９】
操作部４は、図５に示すように、レポート記憶部２内の複数の医用レポートｒ１，ｒ２，…のうち、表示対象の２つの医用レポートｒ１，ｒ２を指示する（ＳＴ１１）。
【０１００】
設定部５は、ユーザの操作部４の操作に応じて、過去の医用レポートｒ２及び最新の医用レポートｒ１のうちのいずれの医用レポートを基準にするかを設定する（ＳＴ１２）。本実施形態では、最新の医用レポートｒ１を基準にする。
【０１０１】
レポート作成部６は、患者情報が前回検査の有りと、前回検査でのレポート作成の有りと、医用レポートの比較表示を行う検査種別とを示すか否かを判定する（ＳＴ１３）。
【０１０２】
レポート作成部６は、設定部５の設定が過去の医用レポートを基準にするか否かを判定する（ＳＴ１４）。
【０１０３】
しかる後、レポート作成部６は、ステップＳＴ１３の判定結果が肯定的であり、ステップＳＴ１４の判定結果が否の場合、過去配置変更機能を起動する（ＳＴ１５）。
【０１０４】
これにより、レポート作成部６は、ステップＳＴ１１で指示された２つの医用レポートｒ１，ｒ２のうち、最新の医用レポートｒ１における医用画像の配置に一致させるように、過去の医用レポートｒ２における医用画像の配置を変更する（ＳＴ１６）。
【０１０５】
例えば、図６に示すように、今回（最新）の医用レポートｒ１の第１フォーマットが示す配置に一致させるように、前回（過去）の医用レポートｒ２の第２フォーマットが示す配置が変更される。変更後、各医用レポートｒ１，ｒ２は、いずれも同一の配置を示す第１フォーマットを有するので、比較作業が容易になっている。
【０１０６】
表示部９は、ステップＳＴ１６により配置が変更された当該過去の医用レポートｒ２と、当該最新の医用レポートｒ１とを並べて表示する。
【０１０７】
また、レポート作成部６は、ユーザの操作に応じて、医用レポートｒ１をレポート出力処理部１０に出力する（ＳＴ１７）。
【０１０８】
レポート出力処理部１０は、出力された医用レポートｒ１の印刷処理を実行する。
【０１０９】
上述したように本実施形態によれば、指示された２つの医用レポートのうち、最新の医用レポートにおける医用画像の配置に一致させるように、過去の医用レポートにおける医用画像の配置を変更する。これにより、ユーザ（例、担当医）の変更が生じた際に、ユーザ毎に異なるフォーマットを用いて医用レポートが作成されたとしても、過去のユーザが用いたフォーマットが現在のユーザの用いるフォーマットに統一される。従って、各医用レポートを比較するときの可読性の低下を阻止することができる。例えば、各医用レポートの電子ファイル（ソフトコピー）同士、又は各医用レポートの印刷物（ハードコピー）同士をユーザが比較する場合の可読性の低下を阻止できる。
【０１１０】
補足すると、比較表示モードにおいて、新旧の医用レポートでフォーマットの差異があった場合に、所望のフォーマット（最新のフォーマット）に揃えることにより、比較表示に適した表示フォーマットを担保して、より効率的な比較作業を実現し、もって、診断効率を向上させることができる。
【０１１１】
また、患者情報判定機能の判定結果が肯定的であり、過去基準判定機能の判定結果が否の場合、過去配置変更機能を起動してもよい。これにより、適切な患者情報と適切な基準との下で、過去の医用レポートにおける医用画像の配置（を示すフォーマット）を変更することができる。
【０１１２】
＜第３の実施形態＞
次に、第３の実施形態に係る医用レポート作成装置について、前述した図１及び図５を用いて説明する。第３の実施形態は、第２の実施形態の変形例であり、各医用レポートｒ１，ｒ２を比較表示するために、今回の医用レポートｒ１において、今回のフォーマットを１ページ目に、過去のフォーマットを２ページ目に用いるように、今回の医用レポートｒ１を再作成・再出力している。これにより、過去の医用レポートｒ２と比較表示する場合、今回の医用レポートｒ１の２ページ目（過去のフォーマット）を用いればよい。
【０１１３】
具体的には、レポート作成部６は、第２の実施形態の過去配置変更機能に代えて、以下の各機能(f6-6)を有している。この場合、レポート作成部６は、最新配置変更手段、ファイル作成手段及び表示切替手段を構成している。
【０１１４】
(f6-6)  指示された２つの医用レポートのうち、過去の医用レポートにおける医用画像の配置に一致させるように、最新の医用レポートにおける医用画像の配置を変更する最新配置変更機能。
【０１１５】
(f6-7)  当該変更する前の最新の医用レポートをｎページ目とし、当該変更した後の最新の医用レポートをｍページ目（但し、ｎ∈｛１，２｝、ｍ∈｛１，２｝、ｎ≠ｍ）としたファイルを作成するファイル作成機能。
【０１１６】
(f6-8)  ユーザの操作に応じて、当該ファイルのｍページ目の表示と当該ｎページ目の表示とを切り替える表示切替機能。
【０１１７】
表示部９は、当該ファイルのｍページ目と、当該過去の医用レポートとを並べて表示する。
【０１１８】
なお、第３の実施形態では、以下の各部１，５，６の機能は、任意の付加的事項であり、省略してもよい。
【０１１９】
すなわち、データ記憶部１は、前述同様に、患者毎に、前回検査の有無、前回検査でのレポート作成の有無、前回検査の検査種別を含む患者情報を記憶していてもよい。
【０１２０】
設定部５は、前述した通り、ユーザの操作に応じて、過去の医用レポートｒ２及び最新の医用レポートｒ１のうちのいずれの医用レポートを基準にするかを設定してもよい。
【０１２１】
レポート作成部６は、前述した各機能(f6-3)〜(f6-4)と、前述した起動機能(f6-5a)とは異なる起動機能(f6-5b)とを有していてもよい。
【０１２２】
(f6-5b)  患者情報判定機能(f6-3)の判定結果が肯定的であり、過去基準判定機能(f6-4)の判定結果が否の場合、最新配置変更機能(f6-6)を起動する起動機能。
【０１２３】
次に、以上のように構成された医用レポート作成装置の動作について図５及び図７の模式図を用いて説明する。医用レポート作成装置は、第２の実施形態と同様に、通常モードではなく、比較表示モードを用いるものとする。
【０１２４】
いま、医用レポート作成装置は、前述した通り、ステップＳＴ１１の医用レポートｒ１，ｒ２の指示、ステップＳＴ１２の過去基準又は最新基準の設定、ステップＳＴ１３の患者情報の判定、ステップＳＴ１４の過去基準か否かの判定、を実行する。
【０１２５】
しかる後、レポート作成部６は、ステップＳＴ１３の判定結果が肯定的であり、ステップＳＴ１４の判定結果が否の場合、最新配置変更機能を起動する。
【０１２６】
これにより、レポート作成部６は、ステップＳＴ１１で指示された２つの医用レポートｒ１，ｒ２のうち、過去の医用レポートｒ２における医用画像の配置に一致させるように、最新の医用レポートｒ１における医用画像の配置を変更する。
【０１２７】
例えば、図７に示すように、前回（過去）の医用レポートｒ２の第２フォーマットが示す配置に一致させるように、今回（最新）の医用レポートｒ１の第１フォーマットが示す配置が変更される。変更後、各医用レポートｒ１，ｒ２は、いずれも同一の配置を示す第２フォーマットを有するので、比較作業が容易になっている。
【０１２８】
また、レポート作成部６は、当該変更する前の最新の医用レポートをｎページ目（r1-1）とし、当該変更した後の最新の医用レポートをｍページ目（r1-2）としたファイルを作成する（但し、ｎ∈｛１，２｝、ｍ∈｛１，２｝、ｎ≠ｍ）。
【０１２９】
表示部９は、当該ファイルのｍページ目と、当該過去の医用レポートとを並べて表示する。
【０１３０】
なお、レポート作成部６は、ユーザの操作に応じて、当該ファイルのｍページ目の表示と当該ｎページ目の表示とを切り替える。
【０１３１】
以下、前述同様に、レポート作成部６は、ユーザの操作に応じて、医用レポートｒ１をレポート出力処理部１０に出力する。レポート出力処理部１０は、出力された医用レポートｒ１の印刷処理を実行する。
【０１３２】
上述したように本実施形態によれば、指示された２つの医用レポートのうち、過去の医用レポートにおける医用画像の配置に一致させるように、最新の医用レポートにおける医用画像の配置を変更する。これにより、ユーザ（例、担当医）の変更が生じた際に、ユーザ毎に異なるフォーマットを用いて医用レポートが作成されたとしても、現在のユーザが用いるフォーマットが過去のユーザの用いたフォーマットに統一される。従って、各医用レポートを比較するときの可読性の低下を阻止することができる。
【０１３３】
補足すると、比較表示モードにおいて、新旧の医用レポートでフォーマットの差異があった場合に、所望のフォーマット（過去のフォーマット）に揃えることにより、比較表示に適した表示フォーマットを担保して、効率的な比較作業を実現し、もって、診断効率を向上させることができる。
【０１３４】
また、患者情報判定機能の判定結果が肯定的であり、過去基準判定機能の判定結果が否の場合、最新配置変更機能を起動してもよい。これにより、適切な患者情報と適切な基準との下で、過去の医用レポートのフォーマットを変更することができる。
【０１３５】
以上説明した少なくとも一つの実施形態によれば、同一フォーマットを用いてレポートを作成した際に、フォーマットの変更を阻止するか、又はユーザの変更が生じた際に、ユーザ毎に異なるフォーマットを統一する。従って、各医用レポートを比較するときの可読性の低下を阻止することができる。
【０１３６】
なお、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれる。
【符号の説明】
【０１３７】
１…データ記憶部、２…レポート記憶部、３…統計情報記憶部、４…操作部、５…設定部、６…レポート作成部、７…比較用レポート決定部、８…貼付操作制御部、９…表示部、１０…レポート出力処理部、ｒ，ｒ１，ｒ１−１，ｒ１−２，ｒ２…医用レポート。
【図１】
2015141466.tif 000003
【図２】
2015141466.tif 000004
【図４】
2015141466.tif 000005
【図３】
2015141466.tif 000006
【図５】
2015141466.tif 000007
【図６】
2015141466.tif 000008
【図７】
2015141466.tif 000009